(57)【要約】      （修正有）【課題】収納場所を忘れることなく、即座に使用することができるようにした照明装置を備えた印判を提供する。【解決手段】細長い印判本体１２の一端に印影面１１ａを有する印判１０において、当該印判本体の他端に一体的に設けられた照明装置２０を備えるように、照明装置付き印判１０を構成する。または、照明装置を別体のケースに収容し、印判本体１２の一端に着脱可能に、又は印判本体１２の他端に固定又は着脱可能に組み込むようにしてもよい。【選択図】図１
0003206117.tif 000002
【実用新案登録請求の範囲】
【請求項１】
細長い印判本体の一端に印影面を有する印判において、当該印判本体の他端に一体的に設けられた照明装置を備えていることを特徴とする、照明装置付き印判。
【請求項２】
前記照明装置が、発光素子と、前記発光素子を駆動する駆動回路と、前記駆動回路を動作させる電源電池と、を含んでいることを特徴とする、請求項１に記載の照明装置付き印判。
【請求項３】
前記印判本体が、一端が開放した中空形状であり、印影面が当該開放端に配置され、
前記照明装置が、前記印判本体の開放端とは反対側の空隙内に一体に組み込まれていることを特徴とする、請求項２に記載の照明装置付き印判。
【請求項４】
前記印判本体の少なくとも一部が、着脱可能なカバーとして構成されており、
前記照明装置が、前記カバー内部の空隙内に一体的に組み込まれていることを特徴とする、請求項２に記載の照明装置付き印判。
【請求項５】
細長い印判本体の一端に印影面を有する印判において、
照明装置が、当該印判本体の一端又は他端に取り付けられるケース内に一体的に組み込まれていることを特徴とする、照明装置付き印判。
【考案の詳細な説明】
【技術分野】
【０００１】
本考案は、本体に一体的に備えられた照明装置を有する照明装置付き印判に関するものである。
【背景技術】
【０００２】
一般的に、多くの家庭では、例えば玄関や勝手口付近に認印が、また各企業等の事業所においては、例えば入り口や受付窓口、担当者各人の机上等に、受領印、受付印等の印判が、それぞれ備えられている。このような印判は、当然のことながら、本来の印判としての機能のみを有している。
【０００３】
これに対して、例えばボールポイントペン等の筆記用具の端部あるいはキャップ等に所謂浸透印等の印判を備えたものも知られており、広く利用されている。
【考案の概要】
【考案が解決しようとする課題】
【０００４】
ところで、上述したような印判とは別に、各家庭の玄関付近あるいは各事業所の入り口付近には、防災用として、懐中電灯のような照明装置が配置されていることが多い。このような照明装置は、普段は滅多に使用することがないため、あまり目立つ場所には配置されず、引き出しの中、あるいは収納部の奥深くに配置されがちである。
従って、災害発生時や停電時等の非常時において、いざ照明装置を使用しようとする際に、当該照明装置の収納場所を忘れてしまったり、あるいは電源としての電池が切れていて、照明装置を使用することができないことがあった。
【０００５】
本考案は以上の点に鑑み、収納場所を忘れることなく、即座に使用することができるようにした照明装置を備えた印判を提供することを目的としている。
【課題を解決するための手段】
【０００６】
上記目的は、本考案の第１の構成によれば、細長い印判本体の一端に印影面を有する印判において、当該印判本体の他端に一体的に設けられた照明装置を備えていることを特徴とする、照明装置付き印判により達成される。
【０００７】
上記構成によれば、通常、一般家庭の玄関や事業所の受付窓口等に備えつけられる印判に照明装置を一体的に備えることによって、常に照明装置が即座に使用することができる場所に配置されることになる。
従って、例えば災害発生時や停電時等の非常時に、当該照明装置を使用しようとしたとき、即座に印判を取り上げることによって照明装置を使用することが可能である。
また、当該照明装置が常に目に付く場所に配置されていることから、適宜に電源電池の状態をチェックすることも可能であり、いざ使用としたときに電池切れとなるおそれが低減され得ることになる。
【０００８】
本考案による印判は、好ましくは、照明装置が、発光素子と発光素子を駆動する駆動回路と駆動回路を動作させる電源電池とを含んでいる。
この構成によれば、電源電池からの給電により駆動回路を動作させて、発光素子を駆動発光させることができ、省電力で小型の照明装置を構成することができるので、このような照明装置を容易に印判に一体的に備えることができる。
【０００９】
本考案による印判は、好ましくは、印判本体が、一端が開放した中空形状であり、印影面が当該開放端に配置され、照明装置が印判本体の開放端とは反対側の空隙内に一体に組み込まれている。
この構成によれば、印判本体の開放端とは反対側の空隙内に照明装置が組み込まれるので、照明装置の存在により、印判の機能が損なわれるようなことはなく、通常の印判と同様に使用することができる。
【００１０】
本考案による印判は、好ましくは、印判本体の少なくとも一部が、着脱可能なカバーとして構成されており、照明装置がカバー内部の空隙内に一体的に組み込まれている。
この構成によれば、印判を構成する印判本体の一部としてのカバー内に照明装置が組み込まれているので、既存の印判のカバーに当該照明装置を後付けで組み込んだり、あるいはカバーの交換部品として、予め照明装置を組み込んだカバーを提供することができる。
【００１１】
本考案の第２の構成による印判は、細長い印判本体の一端に印影面を有する印判において、照明装置が、当該印判本体の一端又は他端に取り付けられるケース内に一体的に組み込まれている。
この構成によれば、照明装置が印判本体とは別体のケース内に一体的に組み込まれているので、既存の印判に対して、その本体に、照明装置を組み込んだケースを接着、粘着、螺着等の適宜の固定手段を介して取り付けることにより、照明装置付き印判を構成することが可能である。また、ケースを印判本体の一端側に取り付ける場合は、印影面を保護する蓋、すなわち、キャップとして兼用することができる。この場合は、ケース下端から延長してスリーブを形成し、着脱可能なキャップとして兼用させるようにしてもよい。
【考案の効果】
【００１２】
このようにして、本考案によれば、収納場所を忘れることなく、非常用としても即座に使用することができるようにした、極めて優れた照明装置を備えた印判を提供することができる。
【図面の簡単な説明】
【００１３】
【図１】本考案による照明装置付き印判の第一の実施形態の構成を示す縦断面図である。
【図２】図１の照明装置付き印判の要部を示す部分拡大断面図である。
【図３】図１の照明装置付き印判の照明装置の回路構成を示すブロック図である。
【図４】本考案による照明装置付き印判の第二の実施形態の構成を示す縦断面図である。
【考案を実施するための形態】
【００１４】
以下、図面に示した実施形態に基づいて本考案を詳細に説明する。
図１は、本考案による照明装置付き印判（以下、印判という）の第一の実施形態の構成を示している。図１において、印判１０は、印字部１１と、印判本体１２と、キャップ１３と照明装置２０と、から構成されている。
【００１５】
印字部１１は、公知の構成の浸透印（インク浸透式印判）として構成されており、より具体的には下方から順次に多孔質ゴムから成る印字体、インク吸蔵体及びインクカートリッジ(図示せず)を有している。これにより、インクカートリッジからインク吸蔵体にインクを供給または貯蔵し、インク吸蔵体から印字体にインクを浸透させ、印字体の下面に形成された印影面１１ａよりインクを滲出させて、紙面等に対して印影面１１ａを当接させることにより、紙面表面に捺印することができるようになっている。尤も、本考案は、図示及び説明を省略するが、印判本体の一端側に直接印影が刻設された通常の印判にも適用し得ることはいうまでもない。
【００１６】
印判本体１２は、同様に公知の構成であって、印字部１１を包囲して保護すると共に、捺印の際に印判本体１２を手で把持することにより、安定した状態で捺印することができるようになっている。ここで、印判本体１２は、細長い中空円筒状に形成されており、その下端が開放すると共に、その上端が閉じている。そして、印判本体１２は、その全体がカバーとして構成されており、その下方の開放端に、印字部１１が着脱可能に取り付けられている。
なお、印判本体１２は、好ましくは、捺印時に印字体の下面である印影面１１ａに形成された文字等の方向を確認することができるように、その周面の一部に指標（図示せず）が備えられている。
【００１７】
キャップ１３は、印字部１１に対して下方から被嵌されて、収納時に、印字部１１の印影面１１ａを保護すると共に、印影面１１ａにおけるインクの乾燥を防止する。
【００１８】
以上の構成は、従来公知の市販されているインク浸透式印判と同様の構成であるが、本考案実施形態における印判１０においては、以上の構成に加えて、さらに印判本体（カバー）１２の内部上方の空隙内に、照明装置２０が組み込まれている。
【００１９】
照明装置２０は、図１に示すように、印判本体１２の内部上方の間隙内にて、印字部１１の機能を損なわないように配置されている。照明装置２０は、図２及び図３に詳細に示すように、発光素子２１，光学レンズ２２，駆動回路２３，スイッチ２４及び電源電池２５から構成されている。
【００２０】
照明装置２０において、発光素子２１は、例えば発光ダイオード等から構成されており、後述するように駆動回路２３により駆動され光を出射させる。光学レンズ２２は、ガラス，透明プラスチック等から構成されており、発光素子２１から出射される光をその屈折効果により適宜の照射角度で外部に出射させる。
【００２１】
駆動回路２３は、印判本体１２の円筒中心軸に対してほぼ垂直に配置されたプリント基板等上に構成されており、電源電池２５から印加される駆動電圧を、適宜昇圧または降圧させ、あるいは安定化させ、発光素子２１に対して直流電流、場合によっては交流電流を供給して、発光素子２１を発光させる。スイッチ２４は、図１に示すように、その操作部２４ａが印判本体１２の側面から外側に露出するように、印判本体１２内に固定されており、操作部２４ａの操作により適宜にオンまたはオフされるようになっている。
【００２２】
電源電池２５は、駆動回路２３に所定の駆動電圧を印加するものであって、収納スペースの観点から、例えばボタン電池等の小型の電池が使用される。
このようにして、照明装置２０においては、電源電池２５からスイッチ２４を介して駆動回路２３に駆動電流が供給されて発光素子２１が発光し、発光素子２１から出射した光は、光学レンズ２２を介して外部に出射される。
【００２３】
本考案実施形態による印判１０は以上のように構成されており、通常は、一般家庭の玄関や勝手口付近に配置され、あるいは事業所の受付窓口付近に配置されており、キャップ１３を外すことにより、適宜に一般的な印判と同様に使用される。
これに対して、例えば災害発生時や停電時等の非常時においては、印判１０の印判本体１２を手で持ってスイッチ２４の操作部２４ａを操作することによって、照明装置２０の発光素子２１を発光させる。これにより、発光素子２１から出射した光が光学レンズ２２を介して適宜に拡散しあるいは収束することにより、所謂懐中電灯と同様に使用することができる。その際、本印判１０は、印判として使用するために、比較的目に付きやすく手にとりやすい場所に設置されているので、非常時において迷うことなく、即座に本印判１０の照明装置２０を利用することが可能であると共に、適宜に電源電池の状態をチェックすることを忘れることもなく、電池切れのおそれが大幅に低減され、常に使用可能状態に保持することができる。
【００２４】
さらに、照明装置２０は、印判本体１２内の空隙に組み込まれているので、印判本体１２から印字部１１を除いた構成を交換部品として提供することにより、既に通常の印判を購入した利用者であっても、容易に且つ低コストで照明装置付き印判１０を手に入れることができる。
【００２５】
図４は、本考案による印判の第二の実施形態の構成を示している。図４において、印判３０は、図１から図３に示した印判１０とほぼ同様の構成であり、同じ構成要素については同じ符号を付して、その説明を省略する。
印判３０は、印字部１１と、印判本体１２と、キャップ１３と、印判本体とは別体の照明装置４０と、から構成されている。本来の印判として機能する印字部１１、印判本体１２及びキャップ１３は、図１に示した印判１０と同様、また市販のインク浸透式印判と同様の構成である。
【００２６】
照明装置４０は、この場合、図１に示した印判１０における照明装置２０とは異なり、印判本体１２とは別体のケース４１内に組み込まれている。ここで、ケース４１は、図４に示すように、印判本体１２の印影面が設置されている一端と反対側の閉鎖している端（以下、他端という）に対して接着、粘着、螺着等の適宜の固定方法により固定されている。ケース４１は、図示の場合、印判本体１２と同じ断面積もしくは断面形状となるように中空円筒状に形成されており、印判本体１２の他端と当接する端面と、その端面に対向する端面との、両端面が閉じている。そして、このケース４１内に、照明装置４０を構成する発光素子２１，光学レンズ２２，駆動回路２３，スイッチ２４及び電源電池２５が組み込まれている。
【００２７】
このような構成の印判３０によれば、図１に示した印判１０と同様に、通常は印判として使用し、また非常時には照明装置として使用することができる。
さらに、印判３０においては、照明装置４０が、印判本体１２とは別体のケース４１内に組み込まれているので、従来の印判の印判本体１２に対して、照明装置４０を後付けすることが可能となる。その際、ケース４１と印判本体１２の円筒中心軸に対して垂直方向をなす周面の断面積もしくは周面形状とが異なり、段差が生じても構わなければ、種々の大きさの印判本体１２に対して、照明装置４０を取り付けることが可能である。
ここで、ケース４１を、印判本体１２の周面の断面積より大径のキャップ形として、印判本体１２の他端側に嵌め込むようにしてもよい。或いは、印判本体１２の一端側から印字部１１に対して下方から被嵌することで、キャップ１３として兼用するようにしてもよい。この場合、ケース４１の底部は、印字部１１を被蓋できるようスリーブ長を長く形成する。そして、印鑑として用いる場合は、照明装置を収容したケース４１としてのキャップ１３を取り外して使用に供すればよく、非常灯として使用する場合は、そのままスイッチを操作することで照明装置として用いることができる。
【００２８】
本考案はその趣旨を逸脱しない範囲において様々な形態で実施することができる。
例えば、上述した実施形態においては、印判１０は、印判本体１２の全体が印字部１１に対して着脱可能に構成されているが、これに限らず、印判本体１２の一部のみが他の部分から着脱可能に構成されており、この着脱可能な一部の内部に照明装置２０が組み込まれるようにしてもよいことは明らかである。
【００２９】
上述した実施形態においては、印判本体１２は、中空円筒状に形成されているが、これに限らず、長方形や多角形あるいは楕円等の断面形状を備えた中空状に形成されていてもよいことは明らかである。
【００３０】
また、上述した実施形態においては、印判１０，３０は、インク浸透式印判として構成されているが、これに限らず、印判本体１２の外部形状を備えていれば、他の方式の印判に本考案を適用して照明装置を備えることが可能である。例えば、印判本体の一端側に印影面が直接刻設された古くから使用されている通常の印判に本考案を適用してもよく、その場合は、印判本体の他端側に別体として照明装置を収容したケースを取り付けることでもよい。取付け方も着脱式又は着脱不能の何れとしてもよい。或いは、このような通常の印判本体の一端側に印影面を保護するキャップを備えている場合にも、本考案が適用されることは勿論である。この場合はキャップの先端側に照明装置を組み込むと共に、印影面を覆う筒体のスリーブを延長することで照明装置付きのキャップとすることができる。  上記の何れの実施態様も、或いは、本考案の技術思想が及ぶ限りここに逐一明示されていない変形態様であっても、本考案の実用新案登録請求の範囲に含まれる。
【符号の説明】
【００３１】
１０，３０    印判
１１    印字部
１１ａ  印影面
１２    印判本体
１３    キャップ
２０，４０    照明装置
２１    発光素子
２２    光学レンズ
２３    駆動回路
２４    スイッチ
２４ａ  操作部
２５    電源電池
４１    ケース
【図１】
0003206117.tif 000003
【図２】
0003206117.tif 000004
【図３】
0003206117.tif 000005
【図４】
0003206117.tif 000006